(57)【要約】【課題】      発光素子の長寿命化を図り、焼き付きを防止し、高品質な表示が可能な表示方法および表示装置を提供する。【解決手段】  タコメータの数字９５および指針９６を有機ＥＬパネル２に画像表示する第１のデザインと、タコメータの数字９５および指針９６とバックモニタの自然画２２を有機ＥＬパネル２内に同時に表示する第２のデザインの二つのデザインとを備える。また、第２のデザインでは、タコメータの数字９５および指針９６の画像のうち高い輝度で表示されていた領域以外の領域にバックモニタの自然画２２を表示する。【選択図】      図８
2006343452.tif 000002
【特許請求の範囲】
【請求項１】
複数の走査線と複数のデータ線の交差に対応して複数の画素がマトリクス状に配置された表示エリアを有する表示パネルを備え、各画素の発光素子を画像データに基づいて駆動し前記表示エリアに画像を表示する表示方法において、
複数のデザインを前記表示パネルに切り替えて画像表示する際に、前記各画素の輝度の時間積分値がある一定値以下になるように、前記複数のデザインの各々を画像表示することを特徴とする表示方法。
【請求項２】
請求項１に記載の表示方法において、
第１の画像を表示する第１のデザインと、前記第１の画像と前記第１の画像とは別の第２の画像を前記表示パネル内に同時に表示する第２のデザインとを含む複数のデザインを前記第１の画像と第２の画像を前記表示パネルに切り替えて画像表示し、
前記第２のデザインで、前記第１の画像の一部と前記第２の画像とが重なる領域では、最大輝度に制限を設け、前記最大輝度の範囲内で、前記第１の画像の一部の輝度と前記第２の画像の輝度とを配分することを特徴とする表示方法。
【請求項３】
請求項２に記載の表示方法において、
前記第２のデザインで、前記第１の画像の一部と前記第２の画像とが重なる領域では、前記第１の画像の一部と前記第２の画像の一方の輝度を落とすとともに、前記第１の画像の一部と前記第２の画像の他方の輝度を、前記一方の輝度を落とすことで前記最大輝度の範囲内で余裕ができた輝度の範囲内に収まる輝度で表示することを特徴とする表示方法。
【請求項４】
請求項２又は３に記載の表示方法において、
前記第１のデザインでは、前記第１の画像としてメータ或いは計器類を画像表示させ、
前記第２のデザインでは、メータ或いは計器類と、自然画とを同時に画像表示させることを特徴とする表示方法。
【発明の詳細な説明】
【技術分野】
【０００１】
本発明は、自動車等の車両、航空機、船舶、電車等の移動体に搭載され、移動体の速度、エンジン回転数等を表示する表示方法に関する。
【背景技術】
【０００２】
近年、有機エレクトロルミネッセンス（以下、ＥＬという。）素子を用いた有機ＥＬパネルが、低消費比電力、高視野角、高コントラスト比で他の装置より優れているとして注目されている。こうした有機ＥＬパネルを用いた有機ＥＬ表示装置が知られている（例えば、特許文献１参照）。
【０００３】
また、従来、自動車等の車両のインストルメントパネルに搭載される車両用情報表示装置として、液晶ディスプレイ装置によって構成される一つの画面（マルチディスプレイ装置）内に、複数の表示をさせるようにしたものが知られている（特許文献２参照）。このような車両用情報表示装置では、液晶パネル内に、速度を表示するスピードメータとしての第１の表示部と、エンジン回転数を表示するタコメータとしての第２の表示部と、カーナビゲーション装置の地図情報等を表示する第３の表示部とにより、３種類の表示を行うようになっている。
【特許文献１】特開２００４−１２７９２４号公報
【特許文献２】特開２００４−２９１７３１号公報
【発明の開示】
【発明が解決しようとする課題】
【０００４】
ところで、上記特許文献１に記載されているような従来の有機ＥＬ表示装置を自動車等の車両のインストルメントパネルに搭載し、その表示パネルで常時はスピードメータやタコメータ等のメータを画像表示し、同じ表示パネルに、そのメータに加えてバックモニタやテレビ電話等の自然画を表示させることが考えられる。
【０００５】
例えば、表示パネルにより、数字を白で表示するタコメータ等のメータのデザインがあった場合、メータの中にバックモニタやテレビ電話（ＴＶ電話）等の自然画を表示する。エレクトロルミネッセンス素子（ＥＬ素子）はまだまだ寿命の問題があり、同じ所に高い輝度（文字を白）で表示すると、白はＲＧＢ全部を使うので劣化の点で厳しい色なので、その部分の劣化が早い。
【０００６】
数字を白で表示する白の表示部を有するデザインのメータの中に自然画を表示するのに、その自然画をメータの白の表示部を含む表示エリア全体に表示させると、その自然画のうち、メータの白の表示部であった部分の劣化が加速され、その部分の輝度が落ちてしまい、高品質な表示が得られない。
【０００７】
つまり、数字を白で表示する白の表示部と回りの黒の部分とでは劣化の速度（度合）が違うので、そのメータが表示される全面に自然画を表示させると、その自然画のうち、メータの白の表示部であった部分の劣化が加速され、その部分の輝度が落ちてしまい、高品質な表示が得られない。
【０００８】
本発明は、このような従来の問題点に着目してなされたもので、その目的は、部分的に焼き付きが加速するのを抑制し、高品質な表示が可能な表示方法および表示装置を提供することにある。
【課題を解決するための手段】
【０００９】
本発明における表示装置は、複数の走査線と複数のデータ線の交差に対応して複数の画素がマトリクス状に配置された表示エリアを有する表示パネルを備え、各画素の発光素子を画像データに基づいて駆動し前記表示エリアに画像を表示する表示方法において、複数のデザインを前記表示パネルに切り替えて画像表示する際に、前記各画素の輝度の時間積分値がある一定値以下になるように、前記複数のデザインの各々を画像表示するようにした。
【００１０】
これによれば、複数のデザインを表示パネルに切り替えて画像表示する際に、各画素の輝度の時間積分値がある一定値以下になるように、二つのデザインの各々を画像表示するようにしている。これにより、複数のデザインの各々において、部分的に焼き付きが加速されるのを抑制でき、高品質な表示を得ることができる。
【００１１】
この表示方法において、第１の画像を表示する第１のデザインと、前記第１の画像と前記第１の画像とは別の第２の画像を前記表示パネル内に同時に表示する第２のデザインとを含む複数のデザインを前記第１の画像と第２の画像を前記表示パネルに切り替えて画像表示し、前記第２のデザインで、前記第１の画像の一部と前記第２の画像とが重なる領域では、最大輝度に制限を設け、前記最大輝度の範囲内で、前記第１の画像の一部の輝度と前記第２の画像の輝度とを配分してもよい。
【００１２】
これによれば、第２のデザインで、第１の画像の一部と第２の画像とが重なる領域では、最大輝度に制限を設けて、その範囲内で、第１の画像の一部の輝度と第２の画像の輝度を配分する。つまり、複数の画像が重なる部分の画素では、各画素の輝度の和が最大輝度の範囲内を超えないようにする。これにより、第１の画像の一部と第２の画像とが重なる領域で部分的に焼き付きが加速されるのを抑制でき、高品質な表示を得ることができる。
【００１３】
この表示方法において、前記第２のデザインで、前記第１の画像の一部と前記第２の画像とが重なる領域では、前記第１の画像の一部と前記第２の画像の一方の輝度を落とすとともに、前記第１の画像の一部と前記第２の画像の他方の輝度を、前記一方の輝度を落とすことで前記最大輝度の範囲内で余裕ができた輝度の範囲内に収まる輝度で表示してもよい。
【００１４】
これによれば、第２のデザインで、第１の画像の一部と第２の画像とが重なる領域では、第１の画像の一部と前記第２の画像の一方の輝度を落とすことで、第１の画像の一部と前記第２の画像の他方の輝度に最大輝度の範囲内で余裕ができ、その他方の画像を、その余裕ができた輝度の範囲内に収まる輝度で表示させることができる。
【００１５】
この表示方法において、前記第１のデザインでは、前記第１の画像としてメータ或いは計器類を画像表示させ、前記第２のデザインでは、メータ或いは計器類と、自然画とを同時に画像表示させるようにしてもよい。
【００１６】
これによれば、第２のデザインで、長寿命化と焼き付きの防止を図りつつ、メータ或いは計器類の画像と自然画とを、同じ表示パネルに同時に表示させることができる。
【発明を実施するための最良の形態】
【００１７】
以下、本発明を具体化した各実施形態を、図面に基づいて説明する。
（第１実施形態）
図１は第１実施形態に係る表示装置全体の電気的構成を示している。図２は同表示装置で用いるパネルアッセンブリの電気的構成を示し、図３は同パネルアッセンブリの表示パネルを示している。また、図４は同表示パネルの一つの画素を示し、図５（ａ）は同表示
パネルの一つの画素回路を示している。
【００１８】
第１実施形態に係る表示方法を説明する前に、この表示方法を実施するための第１実施形態に係る表示装置について説明する。
第１実施形態に係る表示装置は、移動体の一例として自動車等の車両のインストルメントパネルに搭載される。
【００１９】
この表示装置の特徴は、次の点にある。
・複数のデザインを表示パネルに切り替えて画像表示する際に、各画素の輝度の時間積分値がある一定値以下になるように、複数のデザインの各々を画像表示する。すなわち、複数のデザインを表示パネルに切り替えて画像表示する際に、ある一つの画素に着目した場合、その画素の全てのデザインの輝度の和がある一定値以下になるように、複数のデザインの各々を画像表示する。
【００２０】
本実施形態に係る表示装置は、第１の画像としてタコメータを画像表示する第１のデザイン（図７参照）と、タコメータと第２の画像としてのバックモニタの自然画を表示パネル内に同時に画像表示する第２のデザイン（図８参照）の二つのデザインを、表示パネルに切り替えて画像表示するようになっている。
【００２１】
また、第２のデザインでは、タコメータの画像のうち高い輝度で表示されていた領域以外の領域にバックモニタの自然画を表示する（図８参照）。
この表示装置１は、図１および図２に示すように、表示パネルとしての有機ＥＬパネル２を有するパネルアッセンブリＡと、画像制御ユニットＣＵとを備える有機ＥＬ表示装置である。この画像制御ユニットＣＵは、車情報データとしてのエンジン回転数を表わす信号に基づいてタコメータの表示用画像データを作成し、この画像データを出力する。また、画像制御ユニットＣＵには、車情報データとしてシフトレバー（図示省略）がＲレンジ（後退位置）に操作されて車両のＥＣＵから送られるシフトレバー位置検出信号が入力される。この信号が入力されると、画像制御ユニットＣＵは、車両の後部に装着されたバックモニタ（図示省略）から送られる画像データに基づいてバックモニタの自然画の表示用画像データを作成し、この画像データを出力するようになっている。
【００２２】
表示装置１は、画像制御ユニットＣＵの出力ポートにパネルアッセンブリＡが電気的に接続され、有機ＥＬパネル２に、出力ポートから出力されるタコメータの表示用画像データに基づきタコメータを画像表示させる（第１のデザイン）。また、表示装置１は、画像制御ユニットＣＵの出力ポートから出力されるタコメータの表示用画像データとバックモニタの自然画の表示用画像データとに基づき、タコメータとバックモニタの自然画とを同時に有機ＥＬパネル２に画像表示させる（第２のデザイン）ようになっている。
【００２３】
パネルアッセンブリＡは、図１および図２に示すように、車情報データおよび画像データに基づいて作成される上記２種類の表示用画像データを使って有機ＥＬパネル２に表示をさせるパネル制御回路１００が設けられたパネル制御基板１０１をそれぞれ備える。本例では、一例として、車情報データを画像処理する画像処理回路や電源回路が画像制御ユニットＣＵ側に設けられているので、パネル制御回路１００は画像制御ユニットＣＵから送られる表示用画像データを使って有機ＥＬパネル２にタコメータの画像を表示させる。
【００２４】
パネル制御回路１００は、有機ＥＬパネル２の輝度を設定するための輝度設定データが格納された記憶手段としてのＥＥＰＲＯＭ１０２を備える。また、パネル制御回路１００は、画像制御ユニットＣＵから送られる上記２種類の表示用画像を使って有機ＥＬパネル２に上記第１のデザインと第２のデザインのいずれかのデザインで画像を表示させるための信号として、制御信号Ｏ、ドライブデータＰ、パネル電源Ｑをそれぞれ出力する複数の
出力端子を有する。これら複数の出力端子（図示省略）は、有機ＥＬパネル２を駆動するドライバＩＣ１０３が実装されたフレキシブル配線基板１０４上の複数の配線を介して有機ＥＬパネル２の複数のデータ線、複数の電源線、複数の制御信号線と電気的に接続されるようになっている。
【００２５】
ドライバＩＣ１０３は、有機ＥＬパネル２の後述する複数のデータ線を駆動するデータ線駆動回路として構成されている。制御信号Ｏは、後述する走査線駆動回路やドライバＩＣ（データ線駆動回路）を制御する信号である。また、ドライブデータＰは、後述する各画素（赤色，緑色および青色の光をそれぞれ放射する赤用発光素子，緑用発光素子および青用発光素子の３種類の発光素子を含む）の画像データ、例えば８ビットのデジタル階調データである。
【００２６】
フレキシブル配線基板１０４は、例えばフレキシブルプリント基板（ＦＰＣ）で構成されている。フレキシブル配線基板１０４上には、パネル制御回路１００の複数の出力端子とドライバＩＣ１０３の複数の入力側端子とを接続する複数の入力側配線（図示省略）と、ドライバＩＣ１０３の複数の出力端子と有機ＥＬパネル２の複数のデータ線および走査線を接続する出力側配線とが形成されている。また、フレキシブル配線基板１０４上には、パネル電源Ｑを有機ＥＬパネル２の複数の電源線に供給する電源供給線が形成されている。
【００２７】
有機ＥＬパネル２は、電流引き込み型の電流駆動方式（電流プログラム方式）を採用している。この有機ＥＬ表示装置は、有機ＥＬパネル２、このパネル上に形成された左右２つの走査線駆動回路１０６Ｌ，１０６Ｒと、データ線駆動回路としてのドライバＩＣ１０３と、パネル制御回路１００とを備えている。
【００２８】
有機ＥＬパネル２は、図２および図３に示すように、自発光型の発光素子としてエレクトロルミネッセンス素子である有機ＥＬ素子２２１をそれぞれ有する複数の画素２１０Ａがマトリクス状に配置された発光素子基板１１と、複数の画素２１０Ａを密封するように発光素子基板１１に接合された封止基板（図示省略）とを備える。有機ＥＬパネル２は、各画素２１０Ａの画像データに基づいて各画素２１０Ａの有機ＥＬ素子２２１が駆動される。図１で符号１４は、複数の画素２１０Ａがマトリクス状に配置された図１２に示すような実線で示される数字９５、指針９６及び指針中心部９７の画像からなるタコメータの画像であり、この表示エリア１４の外側はいわゆる額縁（非表示エリア）である。
【００２９】
発光素子基板１１には、図３では図示を省略してあるが、陽極として機能する矩形状の画素電極がマトリクス状に形成されており、各画素電極上に、例えば、正孔注入／輸送層と発光層とが順次積層形成され、発光層が形成された基板のほぼ全面に渡って陰極が形成されている。また、各画素電極には、薄膜トランジスタ（ＴＦＴ）等が電気的に接続されており、各画素電極、その上に形成された正孔注入／輸送層、発光層、および陰極により、各画素２１０Ａの有機ＥＬ素子２２１が構成されている。なお、図２では複数の画素２１０Ａのうちの一つのみを示してある。
【００３０】
有機ＥＬパネル２は、図２および図３に示すように、発光素子基板１１上にそれぞれ形成され、行方向に延びるｎ本の第１走査線Ｙ１〜Ｙｎ（ｎは整数）と列方向に延びるｍ本のデータ線Ｘ１〜Ｘｍ（ｍは整数）との交差に対応してｎ行ｍ列に配列された複数の画素２１０Ａを有している。また、有機ＥＬパネル２は、行方向に延びるｎ本の第２走査線Ｙ１１〜Ｙｎ１を有している。複数の画素２１０Ａはそれぞれ、例えば、列方向にＲ，Ｇ，Ｂの順に配置された赤用有機ＥＬ素子，緑用有機ＥＬ素子および青用有機ＥＬ素子の３種類の有機ＥＬ素子２２１により一つの画素が構成されている。つまり、複数の画素２１０Ａはそれぞれ、例えば、赤用画素、緑用画素および青用画素の３種類の画素（サブピクセ
ル）により一つの画素が構成されている。
【００３１】
また、発光素子基板１１上には、図３および図４に示すように、各画素２１０Ａの画素回路２２０に電源を供給する複数の（ｍ本の）画素電源線５０が形成されている。本例では、列方向に縦に並ぶｎ個の画素２１０Ａが縦に延びる１本の画素電源線５０に接続されている。各画素電源線５０には、列方向にＲ，Ｇ，Ｂの順にｎ個ずつ配置された赤用画素、緑用画素および青用画素が個別に接続されている。つまり、ｎ個の赤用画素が接続された赤用の画素電源線５０と、ｎ個の緑用画素が接続された緑用の画素電源線５０と、ｎ個の青用画素が接続された青用の画素電源線５０とが、列方向にＲ，Ｇ，Ｂの順に形成されている。
【００３２】
図３において、符号１６は、複数の画素電源線５０の各端子と、複数のデータ線Ｘ１〜Ｘｍの各端子とが接続された接続端子部である。この接続端子部１６には、フレキシブル配線基板１０４の接続端子部が電気的に接続されている。また、図３において、符号１７は、複数の赤用の画素電源線５０と、複数の緑用の画素電源線５０と、複数の青用の画素電源線５０とが接続された１本のパネル電源線である。このパネル電源線１７は、発光素子基板１１上の、表示エリア１４の外側の額縁（非表示エリア）に形成されている。そして、符号１８は、各画素２１０Ａの上記陰極に接続されたパネルグランド線である。
【００３３】
走査線駆動回路１０６Ｌは、上記制御信号Ｏとして入力される同期信号、クロック信号に応じたタイミングで、Ｈレベルのプログラム期間選択信号Ｖｐｒｇ（図５（ａ），（ｂ）参照）を順に生成して出力することで、第１走査線Ｙ１〜Ｙｎを線順次走査により一つずつ順に選択するようになっている。図５（ｂ）では、第１走査線Ｙ１〜Ｙｎのうち、第１行目の第１走査線Ｙ１にプログラム期間選択信号Ｖｐｒｇが出力されるプログラム期間（ｔ１時点からｔ２時点までの期間）のみを示してある。
【００３４】
走査線駆動回路１０６Ｒは、上記制御信号Ｏとして入力される同期信号、クロック信号に応じたタイミングで、Ｈレベルの発光期間選択信号Ｖｒｅｐ（図５（ｂ）参照）を順に生成して出力することで、第２走査線Ｙ１１〜Ｙｎ１を線順次走査により一つずつ順に選択するようになっている。なお、図５（ｂ）では、第２走査線Ｙ１１〜Ｙｎ１のうち、第１行目の第２走査線Ｙ１１にＨレベルの発光期間選択信号Ｖｒｅｐが出力される発光期間（ｔ２時点からｔ３時点までの期間）のみを示してある。
【００３５】
そして、ドライバＩＣ１０３は、上記プログラム期間に、選択された１本の第１走査線に接続された各画素回路２２０に、データ線Ｘ１〜Ｘｍをそれぞれ介してプログラム信号電流Ｉｓｉｇ（図５（ｂ）参照）を一斉に供給するようになっている。
【００３６】
各プログラム信号電流Ｉｓｉｇは、階調表示のためのｎビットのデジタル階調データである赤用，緑用および青用の各画素の画像データをドライバＩＣ１０３内でＤ−Ａ変換した電流信号である。本例では、各画素２１０Ａの画像データは、各画素の明るさを、８ビットの２進数で表わすデジタル階調データであり、０〜２５５の２５６段階の階調値をとる。
【００３７】
ドライバＩＣ１０３は、図４に示すように、プログラム信号電流Ｉｓｉｇをデータ線Ｘ１〜Ｘｍを介して各画素回路２２０に書き込むためのデータ書き込み回路（サンプリング回路）、データ書き込み回路の動作タイミングをコントロールするシフトレジスタ、ラッチ回路、およびデジタル／アナログ変換器等を備える。ラッチ回路は、各画素の画像データを各画素ごとに設けたデータメモリに格納して１行分の画像データを保持し、上記プログラム期間に、各データメモリに格納した画像データが一斉に読み出されてドライバＩＣ１０３内のデジタル／アナログ変換器（図示省略）へ出力されるようになっている。
【００３８】
このように、有機ＥＬパネル２では、Ｒ，Ｇ，Ｂ３種類の有機ＥＬ素子２２１（赤用有機ＥＬ素子，緑用有機ＥＬ素子および青用有機ＥＬ素子）により一つの画素２１０Ａが構成され、このような画素が複数の走査線と複数のデータ線の交差に対応してマトリクス状に配置されている。
【００３９】
複数の画素２１０Ａはそれぞれ、有機半導体材料で構成された発光層から赤色，緑色および青色の光をそれぞれ放射する赤用有機ＥＬ素子、緑用有機ＥＬ素子および青用有機ＥＬ素子を有する赤用、緑用、および青用の３種類の画素回路をそれぞれ有している（図５（ａ）参照）。一つの画素２１０Ａを構成する３種類の画素回路２２０は、各々の有機ＥＬ素子２２１から放射される光の色が異なる以外は、同じ回路構成である。
【００４０】
画素回路２２０の構成を図５（ａ）に基づいて説明する。
画素回路２２０は、駆動トランジスタＴｄｒ、プログラム用トランジスタＴｐｒｇ、プログラム時選択トランジスタＴｓｉｇ、発光時選択トランジスタＴｒｅｐおよび保持容量Ｃｓｔｇを有している。駆動トランジスタＴｄｒはＰチャネルＴＦＴで構成されている。プログラム用トランジスタＴｐｒｇ、プログラム時選択トランジスタＴｓｉｇおよび発光時選択トランジスタＴｒｅｐは、ＮチャネルＴＦＴでそれぞれ構成されている。
【００４１】
駆動トランジスタＴｄｒのドレインは発光時選択トランジスタＴｒｅｐを介して有機ＥＬ素子２２１の陽極に接続され、有機ＥＬ素子２２１の陰極は接地されている。また、駆動トランジスタＴｄｒのドレインはプログラム時選択トランジスタＴｓｉｇを介して１つのデータ線（図５（ａ）ではデータ線Ｘ１）に接続されている。また、駆動トランジスタＴｄｒのソースは高電位電源Ｖｄｄに接続されている。さらに、駆動トランジスタＴｄｒのゲートは保持容量Ｃｓｔｇの第１の電極に接続され、その保持容量Ｃｓｔｇの第２の電極は高電位電源Ｖｄｄに接続されている。プログラム用トランジスタＴｐｒｇは、駆動トランジスタＴｄｒのゲート・ドレイン間に接続されている。
【００４２】
プログラム時選択トランジスタＴｓｉｇおよびプログラム用トランジスタＴｐｒｇの各ゲートは、第１走査線の１つ（図５（ａ）では第１走査線Ｙ１）に接続されている。そして、プログラム時選択トランジスタＴｓｉｇおよびプログラム用トランジスタＴｐｒｇは、第１走査線Ｙ１からのＨレベルのプログラム期間選択信号Ｖｐｒｇに応答してオン状態となり、ＬレベルのＶｐｒｇに応答してオフ状態となる。そして、本実施形態では、プログラム時選択トランジスタＴｓｉｇおよびプログラム用トランジスタＴｐｒｇがオン状態となると、データ線Ｘ１に上記プログラム信号電流Ｉｓｉｇが供給されるようになっている。
【００４３】
発光時選択トランジスタＴｒｅｐのゲートは、第２走査線の１つ（図５（ａ）ではＹ１１）に接続されている。また、発光時選択トランジスタＴｒｅｐは、第２走査線Ｙ１１からのＨレベルの発光期間選択信号Ｖｒｅｐに応答してオン状態となり、ＬレベルのＶｒｅｐに応答してオフ状態となる。そして、発光時選択トランジスタＴｒｅｐがオン状態になると、駆動トランジスタＴｄｒのオン状態に基づく駆動トランジスタ供給電流ＩｄｒをＯＬＥＤ供給電流Ｉｏｌｅｄとして有機ＥＬ素子２２１に供給するようになっている。
【００４４】
次に、各画素回路２２０の動作を、図５（ｂ）に基づいて簡単に説明する。
１．プログラム期間
いま、第１走査線Ｙ１からＨレベルのプログラム期間選択信号Ｖｐｒｇが供給されると、プログラム用トランジスタＴｐｒｇおよびプログラム時選択トランジスタＴｓｉｇはオン状態に設定される。このとき、第２走査線Ｙ１１からＬレベルの発光期間選択信号Ｖｒｅｐが供給されていて、発光時選択トランジスタＴｒｅｐはオフ状態に設定されている。
このとき、データ線Ｘ１にプログラム信号電流Ｉｓｉｇが供給される。そして、プログラム用トランジスタＴｐｒｇがオン状態になることによって駆動トランジスタＴｄｒはダイオード接続となる。その結果、そのプログラム信号電流Ｉｓｉｇが、駆動トランジスタＴｄｒ→プログラム時選択トランジスタＴｓｉｇ→データ線Ｘ１という経路で流れる。このとき、駆動トランジスタＴｄｒのゲートの電位に対応した電荷が保持容量Ｃｓｔｇに蓄積される。
【００４５】
２．発光期間
この状態から、プログラム期間選択信号ＶｐｒｇがＬレベルとなり、発光期間選択信号ＶｒｅｐがＨレベルとなると、プログラム用トランジスタＴｐｒｇおよびプログラム時選択トランジスタＴｓｉｇがオフ状態に設定され、発光時選択トランジスタＴｒｅｐはオン状態に設定される。このとき、保持容量Ｃｓｔｇの電荷の蓄積状態は変化しないので、駆動トランジスタＴｄｒのゲート電位は、プログラム信号電流Ｉｓｉｇが流れたときの電圧に保持されている。従って、駆動トランジスタＴｄｒのソース・ドレイン間には、そのゲート電圧に応じた大きさの駆動トランジスタ供給電流Ｉｄｒ（ＯＬＥＤ供給電流Ｉｏｌｅｄ）が流れる。詳しくは、ＯＬＥＤ供給電流Ｉｏｌｅｄは、駆動トランジスタＴｄｒ→発光時選択トランジスタＴｒｅｐ→有機ＥＬ素子２２１という経路で流れる。これによって、有機ＥＬ素子２２１は、ＯＬＥＤ供給電流Ｉｏｌｅｄ（プログラム信号電流Ｉｓｉｇ）に応じた輝度で発光する。
【００４６】
このような動作が、第１走査線Ｙ２〜Ｙｎにそれぞれ接続された各画素回路２２０において順に行われて１フレーム分の表示がなされる。
また、パネルアッセンブリＡのパネル制御回路１００は、上記ＥＥＰＲＯＭ１０２と、基準電圧生成回路１０７とを備える。ＥＥＰＲＯＭ１０２には、有機ＥＬパネル２の輝度を補正するための輝度補正データが格納されている。また、ＥＥＰＲＯＭ１０２には、ドライバＩＣ１０３の初期化のためのパラメータ、例えば有機ＥＬパネル２でのフレーム周波数を設定するためのデータも格納されている。
【００４７】
本例では、有機ＥＬパネル２の輝度を、ドライバＩＣ１０３内のデジタル／アナログ変換器の基準電圧をＥＥＰＲＯＭ１０２（図２参照）に格納された輝度補正データによってＲ，Ｇ，Ｂごとに補正できるようになっている。そのために、基準電圧生成回路１０７は、電源投入時デジタル／アナログ変換器の基準電圧を輝度補正データによって補正したＲ，Ｇ，Ｂごとの基準電圧ＶｒｅｆＲ，ＶｒｅｆＧ，ＶｒｅｆＢを生成してドライバＩＣ１０３へ出力するようになっている。
【００４８】
表示装置１は、図６に示すように、自動車等の車両のインストルメントパネル２１に搭載される。この表示装置１は、一例として図６および図７に示すように、上記第１のデザインでは、有機ＥＬパネル２により、車両２０のエンジン回転数をアナログ表示するタコメータの数字９５および指針９６を画像表示する。また、表示装置１は、図８に示すように、上記第２のデザインでは、有機ＥＬパネル２により、タコメータの数字９５および指針９６とバックモニタの自然画２２とを同時に画像表示する。
【００４９】
（画像制御ユニットの電気的構成）
次に、上記画像制御ユニットＣＵの電気的構成を図１に基づいてより詳しく説明する。
画像制御ユニットＣＵは、入力される車情報データおよび画像データに基づいてタコメータの数字９５および指針９６を表示するための上記２種類の表示用画像データを作成し、パネルアッセンブリＡのパネル制御回路１００へ出力する画像処理回路１１０が設けられた画像制御基板１１１を備える。
【００５０】
また、画像制御ユニットＣＵは、複数の出力ポートから有機ＥＬパネル２へ電源を供給
する電源回路１１２と、車情報データおよび画像データがそれぞれ入力される複数の入力回路（インターフェースＩ／Ｆ１，Ｉ／Ｆ２）１１３，１１４とを備える。さらに、画像制御ユニットＣＵは、画像処理回路１１０、電源回路１１２、入力回路１１３，１１４を統括制御するＣＰＵ１１５と、各種の制御プログラム等が格納されたＲＯＭ１１６と、画像処理に用いる各種の画像データが格納されたＲＯＭ１１７と画像処理用のＲＡＭ１１８とを備える。
【００５１】
ＲＯＭ１１７には、タコメータの数字９５を表示させるための背景データが格納されている。また、ＲＯＭ１１７には、タコメータの数字９５に重ねて表示される指針９６の画像を作成するための画像データ等が格納されている。指針９６を数字９５を表示させるための背景データに重ねて表示する方法として、例えば次の２通りがあり、いずれの方法でも良い。
【００５２】
・所定角度ずつ位置が異なる多数の指針データ（指針９６用の指針データ）をＲＯＭ１１７に格納しておき、エンジン回転数に応じた指針データを読み出し、読み出した指針データと上記背景データの足し算をしてタコメータの表示用画像データを作成する。
【００５３】
・エンジン回転数に応じた角度位置の指針９６の画像データをそれぞれ作成し、作成した指針９６の画像データと、上記背景データの足し算をしてタコメータの表示用画像データを作成する。
【００５４】
入力回路１１３には、有機ＥＬパネル２によりタコメータを画像表示させるためのエンジン回転数データと、シフトレバーがＲレンジ（後退位置）に操作されて車両のＥＣＵから送られるシフトレバー位置検出信号とが入力される。エンジン回転数センサで検出されたエンジン回転数データと、シフト位置検出センサで検出されたシフトレバー位置検出信号とは、車両内のＥＣＵ（電子制御ユニット）から車載ネットワークを通じて逐次送られる。車載ネットワーク・プロトコルとして、例えば、ＣＡＮ（Controller Area Network
）、Ｆｌｅｘ  Ｒａｙ等が利用可能である。入力回路１１４には、バックモニタのカメラから送られる画像データが入力される。
【００５５】
図１に示す画像制御ユニットＣＵにおいて、符号ａは車情報データ制御信号、符号ｂは画像データ制御信号、符号ｃは画像処理回路制御信号、符号ｄは電源回路制御信号、符号ｅはパネルアッセンブリ制御信号、符号ｆは車情報データ、符号ｇは画像データである。また、符号ｈはパネルアッセンブリＡへの電源信号、符号ｋはパネルアッセンブリＡへの画像データである。また、符号ｎは、ＲＡＭ１１８の制御信号である。
【００５６】
ＣＰＵ１１５は、車情報データ制御信号ａにより入力回路１１３に逐次入力される車情報データｆ（エンジン回転数データ）を画像処理回路１１０へ転送する制御を行う。また、ＣＰＵ１１５は、画像データ制御信号ｇにより入力回路１１４に入力される画像データを画像処理回路１１０へ転送する制御を行う。また、ＣＰＵ１１５は、画像処理回路制御信号ｃにより、画像処理回路１１０からパネルアッセンブリＡへ画像データｋを出力する制御を行う。そして、ＣＰＵ１１５は、パネルアッセンブリ制御信号ｅをパネルアッセンブリＡへ出力する制御を行うようになっている。この画像データｋは、上記第１のデザインの場合にはタコメータの表示用画像データであり、上記第２のデザインの場合には、タコメータの表示用画像とバックモニタの自然画２２の表示用画像データとが含まれる。
【００５７】
以上の構成を有する表示装置１は、車両が後進するときを除き、入力回路１１３に入力されるエンジン回転数データに応じてタコメータの数字９５および指針９６を有機ＥＬパネル２に画像表示させる（図７に示す第１のデザイン）。また、表示装置１は、入力回路１１３にエンジン回転数データの他にシフトレバー位置検出信号が入力されると、タコメ
ータの数字９５および指針９６と、バックモニタの自然画２２とを同時に有機ＥＬパネル２に画像表示させる（図８に示す第２のデザイン）。
【００５８】
次に、上記構成の表示装置１を用いて実行される第１実施形態に係る表示方法を説明する。
この表示方法は、複数の走査線と複数のデータ線の交差に対応して複数の画素がマトリクス状に配置された表示エリア１４を有する有機ＥＬパネル２を備え、各画素２１０Ａの有機ＥＬ素子２２１を画像データに基づいて駆動し表示エリア１４に画像を表示する。
【００５９】
この表示方法の特徴は、次の点にある。
・二つのデザインを有機ＥＬパネル２に切り替えて画像表示する際に、各画素２１０Ａの輝度の時間積分値がある一定値以下になるように、二つのデザインの各々を画像表示する。すなわち、二つのデザインを有機ＥＬパネル２に切り替えて画像表示する際に、ある一つの画素に着目した場合、その画素の全てのデザインの輝度の和がある一定値以下になるように、二つのデザインの各々を画像表示する。
【００６０】
本実施形態に係る表示方法は、第１の画像としてタコメータを画像表示する第１のデザイン（図７参照）と、タコメータと第２の画像としてのバックモニタの自然画２２を有機ＥＬパネル２内に同時に画像表示する第２のデザイン（図８参照）の二つのデザインを、有機ＥＬパネル２に切り替えて画像表示する。具体的には、図７に示す第１のデザインでは、タコメータの数字９５、指針９６および円形の指針中心部９７を画像表示する。また、図８に示す第２のデザインでは、タコメータの数字９５および指針９６とバックモニタの自然画２２を有機ＥＬパネル２内に同時に画像表示する。
【００６１】
また、本実施形態に係る表示方法は、各画素２１０Ａの輝度の時間積分値がある一定値以下になるように、二つのデザインの各々を画像表示するための一態様として、図８に示す第２のデザインでは、図７に示すタコメータの画像のうち高い輝度で表示されていた領域以外の領域にバックモニタの自然画２２を表示する。つまり、図８に示す第２のデザインでは、図７に示すタコメータの画像のうち数字９５が白で表示されていた領域（白の表示部）以外の領域にバックモニタの自然画２２を表示する。
【００６２】
本実施形態に係る表示方法では、一例として、図７に示す第１のデザインでは、タコメータの数字９５を白の２００カンデラ（ｄｃ／ｍ２）で画像表示する。数字９５を白の２００カンデラで表示する複数の画素をそれぞれ構成する赤用画素、緑用画素および青用画素の３つの画素の輝度の配分（ＲＧＢの輝度の配分）は図９のグラフで示すようになる。つまり、赤用画素の輝度をＲ、緑用画素の輝度をＧ、そして青用画素の輝度をＢとすると、これら３つの画素の輝度の和（Ｒ＋Ｇ＋Ｂ）が２００カンデラ（ｄｃ／ｍ２）になる。なお、図８では、車両が停止状態にあって実線で示す指針９６がエンジン回転数の数字「０」を示す状態と、車両が走行中で二点鎖線で示す指針９６´がエンジン回転数を表わす数字「４０００」付近を示す状態とを示している。
【００６３】
このようにタコメータの数字９５を２００カンデラの白で（高い輝度で）表示すると、白はＲＧＢ全部を使うので劣化の点で厳しい色なので、数字９５を白で表示している領域（白の表示部）にある複数の画素をそれぞれ構成する３つの画素の各有機ＥＬ素子（赤用有機ＥＬ素子，緑用有機ＥＬ素子および青用有機ＥＬ素子）の劣化が早い。
【００６４】
また、本実施形態では、図７に示す第１のデザインでは、指針９６は赤で（劣化の小さい有機ＥＬ素子である赤色の有機ＥＬ素子を有する赤用画素で）表示し、指針中心部９７は橙色（アンバー系）で表示する。橙色は、赤色の有機ＥＬ素子を有する赤用画素と緑色の有機ＥＬ素子を有する緑用画素とで表現する。
【００６５】
このような第１のデザインで表示されているタコメータの画像と同時にバックモニタの自然画２２を表示するのに、自然画２２を、２００カンデラの白で数字９５が表示されていた領域（白の表示部）を含む表示エリア１４（図３参照）全体に表示させたとする。実際には、このような表示の仕方はタコメータの画像表示が見えなくなるため無いが、ここでは「焼き付き」を説明する為にそのような表示をさせたと仮定する。このような表示をさせると、自然画２２のうち、２００カンデラの白で数字９５が表示されていた部分の焼き付き加速され、その部分の輝度が落ちてしまい、高品質な表示が得られなくなる。
【００６６】
ここで、「焼き付き」について説明する。
例えば、図７に示すようなデザインのタコメータでは、数字９５を２００カンデラの白で表示していた部分と周りの黒表示されていた部分とでは劣化の度合が違うので、タコメータが画像表示されている表示エリア１４の全面に自然画２２を表示させると、白で表示していた部分の輝度が黒表示されていた部分よりも落ちてしまう。つまり、数字９５が常に高い輝度（例えば、２００カンデラの白）で表示されているタコメータの表示領域全体に重ねて自然画２２を表示させると、劣化の大きい高い輝度で表示されていた数字９５の部分は、焼き付きにより周囲の部分に対して輝度の差が出てしまい、その部分の輝度が落ちてしまう。この場合、自然画２２を消しても、劣化の大きい高い輝度で表示されていた部分（数字９５の部分）が焼き付きとして残ってしまう。
【００６７】
劣化の大きい部分と劣化の小さい部分との輝度の差分が目に見える輝度であれば、その差分が焼き付きとして認識される。例えば、周りは黒で、数字「１」を白で表示していた後に、表示エリア１４の全面に白の画像を表示すると、白で表示していた数字「１」の部分の劣化が早いので、その部分が白の画像内で暗く見える。これが焼き付きである。そのため、数字９５が常に高い輝度（２００カンデラの白）で表示されているタコメータの表示領域全体に重ねて自然画２２を表示すると、白で表示していた数字９５の部分が常に焼き付きとして見えてしまう。
【００６８】
そこで、第1実施形態に係る表示方法では、そのような焼き付きが部分的に加速される
のを抑制するために、二つのデザインを有機ＥＬパネル２に切り替えて画像表示する際に、各画素２１０Ａの輝度の時間積分値がある一定値以下になるように、二つのデザインの各々を画像表示するようにしている。
【００６９】
そのために、本実施形態に係る表示方法では、図８に示す第２のデザインでは、タコメータの数字９５、指針９６および指針中心部９７の画像のうち高い輝度で表示されていた領域（白の表示部）以外の領域にバックモニタの自然画２２を表示する。つまり、劣化の度合の大きい高輝度（２００カンデラの白）で表示していた数字９５の部分を避けて、それ以外の領域（焼き付きとして見える部分以外の領域）に自然画２２を表示するようにしている。
【００７０】
以上のように構成された第１実施形態によれば、以下の作用効果を奏する。
○二つのデザイン（図７に示す第１のデザインと図８に示す第２のデザイン）を有機ＥＬパネル２に切り替えて画像表示する際に、各画素２１０Ａの輝度の時間積分値がある一定値以下になるように、二つのデザインの各々を画像表示するようにしている。これにより、図８に示す第２のデザインにおいて、自然画２２のうち、２００カンデラの白で数字９５が表示されていた部分で焼き付きが加速されるのを抑制でき、高品質な表示を得ることができる。
【００７１】
○図８に示す第２のデザインでは、各画素を構成する３つの画素の各有機ＥＬ素子２２１の長寿命化と焼き付きの防止を図りつつ、タコメータの画像と自然画２２とを、同じ有
機ＥＬパネル２に同時に表示させることができる。
【００７２】
○図８に示す第２のデザインでは、タコメータの数字９５、指針９６および指針中心部９７の周囲（背景）は全て輝度の最も低い黒で表示されているので、タコメータが画像表示されている領域以外の領域における各画素の有機ＥＬ素子２２１の劣化を抑制できる。
【００７３】
（第２実施形態）
次に、第２実施形態に係る表示方法を説明する。
第２実施形態に係る表示方法は、上記第１実施形態に係る表示装置１と同様の構成の表示装置を用いて実行される。
【００７４】
この表示方法の特徴は、図８に示す第２のデザインで、タコメータの数字９５、指針９６および指針中心部９７の画像の一部に自然画２２が重なる場合、タコメータの画像を表示している複数の画素のうち、劣化の大きな色（例えば青色）の有機ＥＬ素子２２１を発光させている画素のある領域以外の領域に自然画２２を表示させる点にある。
【００７５】
上記第１実施形態のように、高輝度（２００カンデラの白）で表示していた部分（数字９５）以外の領域に自然画２２を表示する場合、ある画素でタコメータの画像の一部（例えば、指針９６の一部や指針中心部９７の一部）と自然画２２が重なる場合がある。例えば有機ＥＬパネル２のサイズが大きいために、タコメータの画像の一部と自然画２２が重ならない場合には、上記第１実施形態で説明した表示方法で全く問題ない。
【００７６】
タコメータの画像の一部と自然画２２が重なる場合には、劣化の大きい色の有機ＥＬ素子（例えば、青色の有機ＥＬ素子）２２１を発光させている画素のある領域以外の部分に自然画２２を重ねる。つまり、劣化の大きい青色の有機ＥＬ素子２２１を発光させていない部分に自然画２２を重ねる。青色の有機ＥＬ素子の材料は、赤色の有機ＥＬ素子や緑色の有機ＥＬ素子よりも劣化の度合が大きいので、なるべく青色の有機ＥＬ素子を発光させている領域には自然画２２を重ねない方が望ましい。
【００７７】
以上のように構成された第２実施形態によれば、上記第１実施形態の奏する作用効果に加えて、以下の作用効果を奏する。
○図８に示す第２のデザインで、タコメータの画像の一部に自然画２２が重なる場合、タコメータの数字９５、指針９６および指針中心部９７を表示している複数の画素のうち、劣化の大きな色（例えば青色）の有機ＥＬ素子２２１を発光させている画素のある領域以外の領域に自然画２２を重ねる。このため、その自然画２２が表示される領域で焼き付きが目立たなくなり、高品質な表示が得られる。
【００７８】
（第３実施形態）
次に、第３実施形態に係る表示方法を説明する。
第３実施形態に係る表示方法は、上記第１実施形態に係る表示装置１と同様の構成の表示装置を用いて実行される。
【００７９】
第３実施形態に係る表示方法の特徴は、図８に示す上記第２のデザインで、タコメータの画像の一部（例えば、指針９６の一部および指針中心部９７の一部）と自然画２２とが重なる領域では、最大輝度に制限を設け、最大輝度の範囲内で、指針９６の一部および指針中心部９７の一部と、自然画２２の輝度とを配分する点にある。例えば、タコメータの画像の一部と自然画２２とが重なる領域では、最大輝度を白の２００カンデラ（図９参照）に制限する。
【００８０】
さらに、この表示方法では、タコメータの画像の一部と自然画２２とが重なる領域では
、自然画２２（第１の画像の一部と第２の画像の一方）の輝度を落とす。そして、タコメータの画像の一部（第１の画像の一部と第２の画像の他方）を、自然画２２の輝度を落とすことで最大輝度の範囲内で余裕ができた輝度の範囲内に収まる輝度で表示する。
【００８１】
本実施形態では、同じところ（ある画素）でタコメータの画像の一部（指針９６の一部および指針中心部９７の一部）と自然画２２が重なる場合には、自然画２２の輝度を、図１０のグラフの実線で示すＲＧＢの輝度の配分を持つ１００カンデラの白に落とす。そして、タコメータの画像の一部の輝度を、自然画２２の輝度を１００カンデラの白に落とすことで余裕ができた輝度の範囲に納まるようにして表示をする。図１０のグラフの破線で示すＲ´，Ｇ´，Ｂ´で示す輝度の範囲は、自然画２２の輝度を１００カンデラの白に落とすことで余裕ができた輝度の範囲を示す。１００カンデラの白は、２００カンデラの白に対して、ＲＧＢの各輝度が半分になる（図９および図１０参照）。
【００８２】
このように、自然画２２の輝度を１００カンデラの白に落とすことで、タコメータの画像の一部と自然画２２が重なる領域にある複数の画素では、図９のグラフの破線で示す領域Ｒ´，Ｇ´，Ｂ´のように、最大輝度（白の２００カンデラ）を超えない範囲でＲＧＢの各輝度を設定できる余裕ができる。このように余裕ができたＲＧＢの各輝度の範囲内に収まるように、タコメータの画像の一部（指針９６の一部および指針中心部９７の一部）のＲＧＢの各輝度を設定することができる。
【００８３】
図１１は、タコメータの画像の一部（橙色の指針中心部９７の一部）と自然画２２が重なる領域の一部（図７の符号９８で示す領域）にある一つの画素における、指針中心部９７の一部と自然画２２のＲＧＢの輝度の配分をそれぞれ示している。図１１において、符号３００は自然画２２を表示する赤用画素の輝度を、符号３０１は自然画２２を表示する緑用画素の輝度を、そして、符号３０２は自然画２２を表示する青用画素の輝度をそれぞれ示している。ここでは、自然画２２を表示する複数の画素のＲＧＢの輝度の配分は、１００カンデラの白にしてある。
【００８４】
一方、図１１において、符号４００は図７の符号９８で示す領域にあり、赤色と緑色で表現される橙色の指針中心部９７の一部を表示する一つの画素における赤用画素の輝度を、符号４０１はその一つの画素における緑用画素の輝度をそれぞれ示している。なお、図１１では、Ｒ閾値、Ｇ閾値およびＢ閾値はそれぞれ、有機ＥＬパネル２の表示エリア１４の全面を２００カンデラで光らせた際の、Ｒ（赤色）の輝度値、Ｇ（緑色）の輝度値およびＢ（青色）の輝度値に設定してある。
【００８５】
以上のように構成された第３実施形態によれば、上記第１実施形態の奏する作用効果に加えて、以下の作用効果を奏する。
○図８に示す第２のデザインで、タコメータの画像の一部（例えば、指針９６の一部および指針中心部９７の一部）と自然画２２とが重なる領域では、最大輝度に制限を設け、最大輝度の範囲内で、指針９６の一部および指針中心部９７の一部と、自然画２２の輝度とを配分する。つまり、タコメータの画像の一部と自然画２２とが重なる領域にある複数の画像では、各画素のＲ（赤色）の輝度とＧ（緑色）の輝度とＢ（青色）の輝度の和が最大輝度（白の２００カンデラ）の範囲（ＲＧＢの輝度配分）を超えないようにする。これにより、タコメータの画像の一部と自然画２２とが重なる領域にある複数の画素をそれぞれ構成するＲＢＧ３つの画素の各有機ＥＬ素子の劣化を抑制でき、焼き付きが目立たなくなり、高品質な表示が得られる。
【００８６】
○タコメータの画像の一部（指針９６の一部および指針中心部９７の一部）と自然画２２とが重なる領域では、自然画２２の輝度を落とすことで、最大輝度（白の２００カンデラ）の範囲内で余裕ができ、タコメータの一部（指針９６の一部および指針中心部９７の
一部）を、その余裕ができた輝度の範囲内に収まる輝度で表示させることができる。
【００８７】
（第４実施形態）
次に、第４実施形態に係る表示方法を説明する。
第４実施形態に係る表示方法は、上記第１実施形態に係る表示装置１と同様の構成の表示装置を用いて実行される。
【００８８】
この第４実施形態では、同一の有機ＥＬパネル２の表示エリア１４に、第１のデザインである、図１２中実線で示される第１の画像としてのタコメータの画像Ｇ１と、図１３に示されるスピードメータの画像Ｇ２とが、必要に応じて適宜切り替わって画像表示されるようになっている。
【００８９】
そして、図１４に示すように、図１２に示すタコメータの画像Ｇ１を表示した際の、任意の位置にある一つの画素２１０Ａ（図３参照）の発光輝度を符号「ＬＡ」で、また、表示が切り替わって図１３に示すスピードメータの画像Ｇ２を表示した際の、前記した任意の位置にある一つの画素２１０の発光輝度を符号「ＬＢ」で示す。本実施形態では、ある任意の画素２１０の焼き付きが加速されるのが抑制されるための最大輝度Ｌmaxを予め画
像制御ユニットＣＵのＲＯＭ１１７（図１参照）に設定しておく。そして、表示エリア１４に、第１の画像としてのタコメータの画像Ｇ１とスピードメータの画像Ｇ２とが、切り替わって画像表示される場合、その輝度の和（＝ＬＡ＋ＬＢ）が最大輝度Ｌmaxよりも低
くなるように、タコメータの画像Ｇ１を表示していた最も高い発光輝度で表示していた数字９５の部分を避けて、スピードメータの画像Ｇ２の数字９９を画像表示するようにしている。
【００９０】
詳しくは、図１２に示すように、実線で示されるタコメータの画像Ｇ１の数字９５である「０」と「１０００」との間に図１２中破線で示されるスピードメータの画像Ｇ２の数字９９である「０」が、また、タコメータの画像の数字９５である「１０００」と「２０００」との間にスピードメータの画像Ｇ２の数字９９である「２０」が、…、タコメータの画像Ｇ１の数字９５である「５０００」と「６０００」との間にスピードメータの画像Ｇ１の数字９９である「１００」が、…、それぞれ位置するように表示する。
【００９１】
以上のように構成された第４実施形態によれば、上記第１実施形態の奏する作用効果に加えて、以下の作用効果を奏する。
○表示エリア１４には、タコメータの画像Ｇ１及びスピードメータの画像Ｇ２が切り替わって表示されるようにした場合、各画素２１０の発光輝度の和（＝ＬＡ＋ＬＢ）が最大輝度Ｌmaxよりも低くなるように、タコメータの画像の数字９５と、スピードの画像の数
字９９とが重ならないように表示される。このため、焼き付きが目立たなくなるので、高品質な表示が得られる。
【００９２】
（第５実施形態）
次に、第５実施形態に係る表示方法を説明する。
第５実施形態に係る表示方法は、上記第１実施形態に係る表示装置１と同様の構成の表示装置を用いて実行される。
【００９３】
この第５実施形態では、同一の有機ＥＬパネル２の表示エリア１４に、図１５に示される第１の画像としてのスピードメータの画像Ｇ１１の表示デザインと、図１６に示されるバックモニタ（図示略）によって撮影されたバックモニタの画像Ｇ１２に図１７に示される自動車を後方移動させる際の案内基準線ＫＳの画像Ｇ１３が重なり合って表示される画像（第２のデザイン）が表示されるようになっている。
【００９４】
そして、表示エリア１４には、自動車が前進している場合は、図１５に示すようなスピードメータの画像Ｇ１１を画像表示し、また、同自動車を後方に移動させて所定の駐車位置に駐車させる場合等は、図１６に示すバックモニタの画像Ｇ１２に図１７に示す案内基準線ＫＳの画像が重ね合わされた画像が表示されるようになっている。
【００９５】
そして、図１８に示すように、図１５に示すスピードメータの画像を表示した際の、任意の位置にある一つの画素２１０（図３参照）の発光輝度を符号「ＬＡ」で、図１６に示すバックモニタの画像を表示した際の、前記した任意の位置にある一つの画素２１０の発光輝度を符号「ＬＢ」で示す。さらに、図１７に示す案内基準線ＫＳの画像を表示した際の、前記した任意の位置にある一つの画素２１０の発光輝度を符号「ＬＣ」で示す。
【００９６】
本実施形態では、仮に、各画像Ｇ１１〜Ｇ１３を重ね合わせて表示したとしたら、その時の発光輝度が最大輝度Ｌｍａｘ以下になるように、各画像Ｇ１１〜Ｇ１３の発光輝度を調整した。つまり、スピードメータの画像Ｇ１１と、バックモニタの画像Ｇ１２と案内基準線の画像Ｇ１３の重ね合わせた画像がそれぞれ予め設定された発光輝度Ｌｐ以下で発光して表示されるようにそれぞれ発光輝度ＬＡ，ＬＢ，ＬＣを配分調整して設定した。
【００９７】
そして、図１９に示すように、スピードメータの画像Ｇ１１が表示される時は、発光輝度Ｌｐ以下にその配分調整された発光輝度ＬＡで表示される。また、バックモニタの画像Ｇ１２と案内基準線の画像Ｇ１３の重ね合わせた画像が表示される時は、画像Ｇ１２は配分調整された発光輝度ＬＢと画像Ｇ１３は配分調整された発光輝度ＬＣとの和が発光輝度Ｌｐ以下で表示される。これによって、本実施形態によれば、画素の各有機ＥＬ素子の劣化を抑制でき、焼き付きが目立たなくなり、高品質な表示が得られる。
【００９８】
以上のように構成された第５実施形態によれば、上記第１実施形態の奏する作用効果に加えて、以下の作用効果を奏する。
○表示エリア１４に、スピードメータの画像とバックモニタの画像に案内基準線ＫＳの画像が重ね合わされた画像とを切り替えて表示させるようにした場合、各スピードメータの画像、バックモニタの画像及び案内基準線ＫＳの画像を表示する際の画素２１０の発光輝度の和（＝ＬＡ＋ＬＢ＋ＬＣ）が最大輝度Ｌmaxよりも低くなるように、各画素２１０
を発光させるようにした。このため、焼き付きが目立たなくなるので、高品質な表示が得られる。
【００９９】
なお、この発明は以下のように変更して具体化することもできる。
・上記各実施形態では、第１のデザインで、タコメータを画像表示する表示装置および表示方法を一例として説明したが、タコメータ以外のスピードメータや、各種の計器類（インジケータやワーニング）等を表示する表示方法および表示装置にも本発明は適用可能である。
【０１００】
・上記各実施形態では、第２のデザインで、バックモニタの自然画２２をタコメータの画像と同時に表示する表示装置および表示方法を一例として説明したが、本発明はこのような表示装置および表示方法に限定されない。本発明は、自然画２２に代えてテレビ電話の自然画やカーナビゲーション装置の地図情報等の画像を、タコメータやスピードメータ等のメータの画像と同時に表示する表示方法および表示装置にも適用される。
【０１０１】
・上記各実施形態では、第１のデザインと第２のデザインの二つのデザインのいずれかで有機ＥＬパネル２に画像を表示させる構成を一例として説明したが、「３」以上の複数のデザインのいずれか一つのデザインで表示可能にした表示方法および表示装置にも本発明は適用可能である。
【０１０２】
・本発明は、車両のインストルメントパネルのような限られた狭いスペースに取り付けることが要求される小型の表示装置で、常時はタコメータ等のメータを画像表示させる第１のデザインと、そのメータと同時に別の画像を表示する第２のデザインとを含む複数のデザインで表示可能な構成に広く適用可能である。
【０１０３】
・上記各実施形態では、発光素子として有機ＥＬ素子を駆動して表示エリアにメータ等の画像を表示する構成を一例として説明したが、有機ＥＬ素子以外の発光素子を駆動して表示エリアにメータ等の画像を表示する表示方法および表示装置にも本発明は適用可能である。
【０１０４】
・上記各実施形態では、データ線駆動回路として構成されたドライバＩＣ１０３がフレキシブル配線基板１０４に実装されているが、データ線駆動回路を有機ＥＬパネル２の発光素子基板１１上に形成した構成にも本発明は適用される。
【０１０５】
・上記各実施形態では、表示パネルとして有機ＥＬ素子を用いた有機ＥＬパネルを用いているが、表示パネルとして無機ＥＬ素子を用いた無機ＥＬパネルを用いた構成にも本発明は適用可能である。
【０１０６】
・上記第３実施形態では、タコメータの画像の一部と自然画２２とが重なる領域では、自然画２２の輝度を落とすようにしているが、タコメータの画像の一部の輝度を落とす表示方法にも本発明は適用可能である。
【図面の簡単な説明】
【０１０７】
【図１】第１実施形態に係る表示装置の電気的構成を示すブロック図。
【図２】同表示モジュールで用いるパネルアッセンブリの電気的構成を示すブロック図。
【図３】同表示モジュールの有機ＥＬパネルを示す平面図。
【図４】画素の上面図。
【図５】（ａ）は画素回路を示す回路図、（ｂ）は動作を示すタイミングチャート。
【図６】表示装置が搭載された車両のインストルメントパネルを示す斜視図。
【図７】同表示装置による第１のデザインでの表示状態を示す平面図。
【図８】同表示装置による第２のデザインでの表示状態を示す平面図。
【図９】第１〜第３実施形態に係る表示方法の説明に用いるグラフで、白の２００カンデラで表示する一つの画素におけるＲＧＢの輝度の配分を示すグラフ。
【図１０】第３実施形態に係る表示方法の説明に用いるグラフ。
【図１１】第３実施形態に係る表示方法の説明に用いるグラフ。
【図１２】第４実施形態に係る表示方法の説明するための図。
【図１３】同じく、第４実施形態に係る表示方法の説明するための図。
【図１４】同じく、第４実施形態に係る表示方法の説明するためのグラフ。
【図１５】第５実施形態に係る表示方法の説明するための図。
【図１６】同じく、第５実施形態に係る表示方法の説明するための図。
【図１７】同じく、第５実施形態に係る表示方法の説明するための図。
【図１８】同じく、第５実施形態に係る表示方法の説明するためのグラフ。
【図１９】同じく、第５実施形態に係る表示方法の説明するためのグラフ。
【符号の説明】
【０１０８】
ｋ…画像データ、Ｘ１〜Ｘｍ…データ線、１…表示装置、２…表示パネルとしての有機ＥＬパネル、２１０Ａ…画素、２２１…発光素子としての有機ＥＬ素子。
【図１】
2006343452.tif 000003
【図２】
2006343452.tif 000004
【図３】
2006343452.tif 000005
【図４】
2006343452.tif 000006
【図５】
2006343452.tif 000007
【図６】
2006343452.tif 000008
【図７】
2006343452.tif 000009
【図８】
2006343452.tif 000010
【図９】
2006343452.tif 000011
【図１０】
2006343452.tif 000012
【図１１】
2006343452.tif 000013
【図１２】
2006343452.tif 000014
【図１３】
2006343452.tif 000015
【図１４】
2006343452.tif 000016
【図１５】
2006343452.tif 000017
【図１６】
2006343452.tif 000018
【図１７】
2006343452.tif 000019
【図１８】
2006343452.tif 000020
【図１９】
2006343452.tif 000021